(57)【要約】【課題】断熱遮音効果の得られる壁面パネルを提供する。【解決手段】躯体に取り付け、壁面を形成する壁面パネル５１であって、躯体にその前後方向へ転動可能に支持されるコロに、上側へ突出した円弧状面を有する凹部５３ａで躯体の前後方向へ転動可能に取り付けられ、上側へ開放する切欠５３ｂを備えた２つの継手５３を、壁面パネル本体５２の裏側の上縁に壁面パネル本体５２の重心を挟んで左右方向へ設け、２つの継手５３に対応する壁面パネル本体５２の裏側の下縁に、下側の壁面パネル本体５２に設けた継手５３の切欠５３ｂ内へ圧入する弾性挿入片５４を設ける。【選択図】図１
2008111330.tif 000002
【特許請求の範囲】
【請求項１】
躯体に取り付け、壁面を形成する壁面パネルであって、
前記躯体にその前後方向へ転動可能に支持されるコロに、上側へ突出した円弧状面で接して前記躯体の前後方向へ転動可能に取り付けられ、上側へ開放する収容部を備えた２つの継手を、壁面パネル本体の裏側の上縁に左右方向へ設け、
前記２つの継手に対応する前記壁面パネル本体の裏側の下縁に、下側の前記壁面パネル本体に設けた前記継手の収容部内へ挿入する挿入部を設けた、
ことを特徴とする壁面パネル。
【請求項２】
躯体に取り付け、壁面を形成する壁面パネルであって、
前記躯体にその前後方向へ転動可能に支持されるコロに、上側へ突出した円弧状面で接して前記躯体の前後方向へ転動可能に取り付けられ、上側へ開放する収容部を壁面パネル本体の裏面とでそれぞれ形成する２つの継手を、前記壁面パネル本体の裏側の上縁に左右方向へ設け、
前記２つの継手に対応する前記壁面パネル本体の裏側の下縁に、下側の前記壁面パネル本体の裏側に形成された前記収容部内へ挿入する挿入部を設けた、
ことを特徴とする壁面パネル。
【請求項３】
請求項１または請求項２に記載の壁面パネルにおいて、
前記２つの継手を、前記壁面パネル本体の重心を挟んで左右に設けた、
ことを特徴とする壁面パネル。
【請求項４】
請求項１から請求項３のいずれか１項に記載の壁面パネルにおいて、
上側の前記壁面パネルの前記挿入部を下側の前記壁面パネルの前記収容部内へ圧入することにより、前記挿入部が前記収容部の前後面に弾性的に当接する、
ことを特徴とする壁面パネル。
【発明の詳細な説明】
【技術分野】
【０００１】
この発明は、躯体に取り付け、壁面を形成する壁面パネルに関するものである。
【背景技術】
【０００２】
従来の壁面パネルの取付方法の一例を示すと、図１５の平面図に相当する説明図に示すように、躯体としての内壁パネル１の外面（室外側面）に躯体としても機能する平断面が角張ったＣ字形状の支柱材２を、支柱材２の一端外面を内壁パネル１に当接（密接）させた状態に取付ねじ（タップねじ）３で取り付け、支柱材２の他端外面に、支柱材２を避ける状態で断熱材５を取り付けた外壁パネルなどの壁面パネル４の裏面を当接（密接）させた状態に取付ねじ（タップねじ）６で取り付ける。
なお、断熱材は、内壁パネル１と壁面パネル４との間に充填させてもよい（例えば、非特許文献１参照。）。
【０００３】
【非特許文献１】カタログ「ファイヤロック  スーパーフォーム」  日東紡  平成１７年１２月作成
【発明の開示】
【発明が解決しようとする課題】
【０００４】
上記したように、内壁パネル１と壁面パネル４とを、内壁パネル１と壁面パネル４とに支柱材２を取付ねじ３，６で密接（密着）させて連結すると、取付ねじ３，６および密接部分を介して熱、音が伝達されるので、壁面パネル４に作用する熱、音が取付ねじ６、支柱材２、取付ねじ３および内壁パネル１を介して室内へ伝達されるため、断熱遮音効果の得られない壁面パネル４であった。
【０００５】
この発明は、上記したような不都合を解消するためになされたもので、断熱遮音効果の得られる壁面パネルを提供するものである。
【課題を解決するための手段】
【０００６】
この発明は、以下のような発明である。
（１）躯体に取り付け、壁面を形成する壁面パネルであって、前記躯体にその前後方向へ転動可能に支持されるコロに、上側へ突出した円弧状面で接して前記躯体の前後方向へ転動可能に取り付けられ、上側へ開放する収容部を備えた２つの継手を、壁面パネル本体の裏側の上縁に左右方向へ設け、前記２つの継手に対応する前記壁面パネル本体の裏側の下縁に、下側の前記壁面パネル本体に設けた前記継手の収容部内へ挿入する挿入部を設けたことを特徴とする。
（２）躯体に取り付け、壁面を形成する壁面パネルであって、前記躯体にその前後方向へ転動可能に支持されるコロに、上側へ突出した円弧状面で接して前記躯体の前後方向へ転動可能に取り付けられ、上側へ開放する収容部を壁面パネル本体の裏面とでそれぞれ形成する２つの継手を、前記壁面パネル本体の裏側の上縁に左右方向へ設け、前記２つの継手に対応する前記壁面パネル本体の裏側の下縁に、下側の前記壁面パネル本体の裏側に形成された前記収容部内へ挿入する挿入部を設けたことを特徴とする。
（３）（１）または（２）に記載の壁面パネルにおいて、前記２つの継手を、前記壁面パネル本体の重心を挟んで左右に設けたことを特徴とする。
（４）（１）から（３）のいずれか１つに記載の壁面パネルにおいて、上側の前記壁面パネルの前記挿入部を下側の前記壁面パネルの前記収容部内へ圧入することにより、前記挿入部が前記収容部の前後面に弾性的に当接することを特徴とする。
【発明の効果】
【０００７】
この発明によれば、コロが転動する円弧状面を有した継手で躯体に対して壁面パネルを取り付けるので、コロと継手とが線接触となって接触部分が少なくなることにより、熱が伝達されにくくなり、断熱効果が得られる。
また、コロが円弧状面で転動することにより、継手が移動するので、地震や音圧による振動の伝達をコロの転動で逃がすことによって免震構造となり、これまで困難であった地震波や低周波音の遮断特性が向上し、遮音効果が得られる。
さらに、継手の円弧状面の所定位置にコロを転動可能に位置決めするので、地震や音圧による振動などが壁面パネルに作用しない通常の状態では、躯体と壁面パネルとの間隔を一定に保つことができる。
そして、２つの継手を、壁面パネル本体の重心を挟んで左右に設けたので、コロが継手でそれぞれ押し付けられることにより、コロと継手との間にがたつきが生じなくなる。
また、上側の壁面パネルの挿入部が下側の壁面パネルの収容部内に挿入されるので、壁面パネルの下側を前後方向へ移動しないように位置決めすることができる。
また、上側の壁面パネルの挿入部が下側の壁面パネルの収容部の前後面に当接するので、壁面パネルの下側を前後方向へがたつかないように位置決めすることができる。
【発明を実施するための最良の形態】
【０００８】
以下、この発明の実施例を図に基づいて説明する。
【０００９】
図１（ａ）はこの発明の第１実施例である壁面パネルの裏面図、図１（ｂ）は図１（ａ）に示した壁面パネルの右側面図、図２はこの発明の第１実施例である壁面パネルの取付方法に使用するパネル継手、コロなどを示す分解斜視図、図３（ａ）はこの発明の第１実施例である壁面パネルを取り付けた状態の正面図に相当する説明図、図３（ｂ）は図３（ａ）に示した壁面パネルを取り付けた状態の右側面図に相当する説明図、図４はこの発明の第１実施例である壁面パネルを取り付けた状態の平面図に相当する説明図、図５はこの発明の第１実施例である壁面パネルを取り付けた状態の右側面図に相当する説明図、図６（ａ）はこの発明の第１実施例である壁面パネルを取り付けた状態におけるパネル継手とコロとの位置関係を示す説明図、図６（ｂ）はこの発明の第１実施例である壁面パネルを取り付けた状態における継手とコロとの位置関係などを示す説明図、図７はコロのメカニズムを示す説明図である。
なお、以下の実施例は、例えば、遮音壁を構築する場合のものである。
【００１０】
図１（ａ），（ｂ）において、５１は壁面パネルを示し、例えば、横が８００ｍｍの長さで、縦が２５０ｍｍの高さで、奥行き（厚み）が３５ｍｍとされた壁面パネル本体５２と、この壁面パネル本体５２の裏側の上縁に壁面パネル本体５２の重心を挟んで左右方向へ、例えば、左端から２００ｍｍ（全体の長さの１／４）の位置、および、右端から２００ｍｍ（全体の長さの１／４）の位置に位置させ、縦方向（垂直方向）に起立させて設けられた２つの継手５３と、この２つの継手５３に対応する壁面パネル本体５２の裏側の下縁に、すなわち、左右端から長さの１／４の位置に設けられ、下側の壁面パネル本体５２に設けた継手５３の切欠５３ｂ内へ挿入する挿入部としての、２つの弾性挿入片５４とで構成されている。
そして、継手５３には、後側の下側に、下側へ開放する凹部５３ａが設けられ、この凹部５３ａよりも前側の上側に、上側へ開放して壁面パネル本体５２の裏側に位置する収容部としての切欠５３ｂが設けられている。
なお、凹部５３ａは、上側が、後述するコロ４１を構成する軸部４２の直径よりも大きな直径の、軸部４２が当接する円弧状面を有する円弧で、この円弧の幅が最大になった円弧の直径の幅で下側へ切り欠かれている。
【００１１】
図２において、２１は躯体として機能する、平断面が角張ったＣ字形の支柱材を示し、図３（ａ），（ｂ）に示すように、例えば、４００ｍｍの間隔に立てた状態に設ける。
なお、住宅などの断熱遮音壁構造とする場合は、図４および図５に示すように、躯体としての内壁パネル１１の外面（室外側面）に、例えば、４００ｍｍの間隔に取付ねじ（タップねじ）２２で縦方向（垂直方向）に取り付けられる。
３１はパネル継手を示し、縦方向（垂直方向）に起立して対面する矩形状の２つの支持片３２Ａと、この２つの支持片３２Ａの一端（後端）を連結し、ボルト３３およびナット３４によって支柱材２１に取り付けられる取付片３２Ｂとで構成されている。
そして、２つの支持片３２Ａには、保持部として機能する、コロ４１の軸部４２が当接する円弧状面を有した円形孔３２ａが同一中心線上に設けられている。
【００１２】
４１はコロを示し、パネル継手３１の円形孔３２ａの直径よりも小さく、また、継手５３の凹部５３ａの幅（凹部５３ａの円弧の直径）よりも小さい直径の円柱からなる軸部４２と、この軸部４２の一端に設けられ、パネル継手３１の円形孔３２ａの直径よりも大きな頭部４３とで構成されている。
そして、コロ４１は、軸部４２の頭部４３と反対側に設けられた貫通孔４２ａに挿通され、軸部４２がパネル継手３１の円形孔３２ａから横方向（水平方向）へ抜けるのを阻止する止めピン４４により、パネル継手３１に転動可能に取り付けられる。
【００１３】
次に、壁面パネル５１の取付の一例について説明する。
まず、支柱材２１を、図３（ａ），（ｂ）に示すように、４００ｍｍの間隔に立てた状態に設ける。
なお、断熱遮音壁構造とする場合は、図３（ａ），（ｂ）に示すように、内壁パネル１１の外面に支柱材２１を取付ねじ２２（図４および図５参照）で４００ｍｍの間隔に取り付ける。
そして、各支柱材２１の、下端から壁面パネル５１の継手５３に設けた凹部５３ａの円弧の中心の高さよりも少し低い高さ、例えば、２３５ｍｍの高さと、この２３５ｍｍに順次２５０ｍｍを加えた高さとに、図４および図５に示すように、パネル継手３１をボルト３３およびナット３４で取り付けた後、２つの支持片３２Ａの円形孔３２ａにコロ４１の軸部４２を挿通し、支持片３２Ａから突出した軸部４２に設けられている貫通孔４２ａに止めピン４４を挿通させて取り付けることにより、パネル継手３１の円形孔３２ａに軸部４２を、図６（ａ）に示すように、転動可能に取り付ける。
または、２つの支持片３２Ａの円形孔３２ａにコロ４１の軸部４２を挿通し、支持片３２Ａから突出した軸部４２に設けられている貫通孔４２ａに止めピン４４を挿通させて取り付けることにより、パネル継手３１の円形孔３２ａに軸部４２を、図６（ａ）に示すように、転動可能に取り付けたパネル継手３１を、各支柱材２１の、下端から、例えば、２３５ｍｍ高さと、この２３５ｍｍに順次２５０ｍｍを加えた高さとに、図４および図５に示すように、ボルト３３およびナット３４で取り付ける。
【００１４】
次に、壁面パネル５１の裏面に取り付けられている２つの継手５３を、例えば、図３（ａ）の下側の右端に位置する２つのコロ４１の軸部４２に乗せ掛け、各継手５３の凹部５３ａ内に軸部４２をそれぞれ位置させてパネル継手３１と継手５３とに軸部４２を狭持させることにより、支柱材２１に壁面パネル５１を取り付けることができ、軸部４２は、図６（ｂ）に示すように、継手５３の凹部５３ａに転動可能に収容される。
以後、先に取り付けた壁面パネル５１の左側へ順次並べるようにして一段（最下段）目の壁面パネル５１を支柱材２１に取り付ける。
なお、一段目の壁面パネル５１には弾性挿入片５４を設けずに支柱材２１に取り付けて横方向へ順次並べたり、または、一段目の壁面パネル５１に設けた弾性挿入片５４を基礎に設けた穴（収容部）内へ挿入したり、または、挿入して固定する。
【００１５】
次に、二段目の壁面パネル５１を取り付ける場合は、壁面パネル５１を左右方向へ長さの半分（４００ｍｍ）ずらせて一段目の壁面パネル５１の切欠５３ｂ内へ二段目の壁面パネル５１の弾性挿入片５４をそれぞれ挿入（圧入）して壁面パネル５１を支柱材２１に取り付ける。
このように、弾性挿入片５４を切欠５３ｂ内へ挿入（圧入）すると、図５、図６（ｂ）に示すように、弾性挿入片５４は、下端が切欠５３ｂの底に当接せずに、切欠５３ｂの前後面（切欠５３ｂを形成する前後面）に弾性的に当接する。
以後の三段目、四段目、・・・も二段目と同様に順次壁面パネル５１を支柱材２１に取り付けることにより、図３（ａ），（ｂ）に示すように、支柱材２１に壁面パネル５１を隙間なく取り付けることができる。
【００１６】
このようにしてコロ４１を介してパネル継手３１に継手５３を取り付けると、パネル継手３１の円形孔３２ａがコロ４１の軸部４２の直径よりも大きいので、図６（ａ）に示すように、軸部４２は円形孔３２ａの最下部に転動可能に位置決めされ、また、継手５３の凹部５３ａの上側がコロ４１の軸部４２の直径よりも大きい円弧なので、図６（ｂ）に示すように、軸部４２は凹部５３ａの最上部に転動可能に位置決めされる。
したがって、地震や音圧による振動などが壁面パネル５１に作用しない通常の状態では、支柱材２１（内壁パネル１１）と壁面パネル５１との間隔を一定に保つことができる。
【００１７】
次に、コロ４１の作用について説明する。
上述したように、コロ４１を介してパネル継手３１に継手５３を取り付けると、図７に示すように、継手５３とコロ４１とが線（または点）接触になるとともに、コロ４１とパネル継手３１とが線（または点）接触になり、継手５３とコロ４１、および、コロ４１とパネル継手３１との接触部分が少なくなるので、壁面パネル５１に作用する熱は支柱材２１（内壁パネル１１）へ伝達されにくくなり、断熱効果が得られる。
また、図７に示すように、コロ４１が転動することにより、パネル継手３１に対して継手５３が移動するので、地震や音圧による振動の伝達をコロ４１の転動で逃がすことによって免震構造となり、これまで困難であった地震波や低周波音の遮断特性が向上し、遮音効果が得られる。
【００１８】
この発明の第１実施例によれば、コロ４１が転動する円形孔３２ａを有したパネル継手３１および凹部５２ａを有した継手５３で躯体に対して壁面パネル５１を取り付けるので、コロ４１とパネル継手３１および継手５３とが線接触となって接触部分が少なくなることにより、熱が伝達されにくくなり、断熱効果が得られる。
また、コロ４１が凹部５３ａで転動することにより、パネル継手３１に対して継手５３が移動するので、地震や音圧による振動の伝達をコロ４１の転動で逃がすことによって免震構造となり、これまで困難であった地震波や低周波音の遮音効果が得られる。
さらに、パネル継手３１の円形孔３２ａ（保持部）、および、継手５３の凹部５３ａの、所定位置にコロ４１を転動可能に位置決めするので、地震や音圧による振動などが壁面パネル５１に作用しない通常の状態では、支柱材２１（躯体）と壁面パネル５１との間隔を一定に保つことができる。
そして、２つの継手５３を、壁面パネル本体５２の重心を挟んで左右に設けたので、コロ４１が継手５３でそれぞれ押し付けられることにより、コロ４１と継手５３との間にがたつきが生じなくなる。
さらに、上側の壁面パネル５１の弾性挿入片５４が下側の壁面パネル５１の切欠５３ｂの前後面に当接するので、壁面パネル５１の下側を前後方向へがたつかないように位置決めすることができる。
【００１９】
図８はこの発明の第１実施例である壁面パネルの他の取付方法に使用するパネル継手、コロなどを示す分解斜視図であり、図１〜図７と同一または相当部分に同一符号を付し、その説明を省略する。
【００２０】
図８において、パネル継手３１の２つの支持片３２Ａには、保持部として機能する上側へ開放する凹部３２ｂが同一中心線上に設けられている。
この凹部３２ｂは、下側が、コロ４１を構成する軸部４２の直径よりも大きな直径の、軸部４２が当接する円弧状面を有する円弧で、この円弧の幅が最大になった円弧の直径の幅で上側へ切り欠かれている。
したがって、パネル継手３１は、凹部３２ｂの最下部でコロ４１の軸部４２と線（または点）接触となり、凹部３２ｂの最下部に軸部４２を転動可能に位置決めする。
【００２１】
このパネル継手３１を使用して図１に示す壁面パネル５１を取り付ける場合は、止めピン４４を取り付けたコロ４１の軸部４２を２つの支持片３２Ａの凹部３２ｂ内へ上側から落とし込む（挿入する）ことにより、コロ４１をパネル継手３１に、横方向（水平方向）へ抜けないように簡単に取り付けることができる。
なお、上記したコロ４１の取付方法以外の、壁面パネルの取付方法、コロ４１の作用、効果などは、図１〜図７に示す場合と同様になるので、その説明を省略する。
【００２２】
図９はこの発明の第２実施例である壁面パネルの取付方法に使用するパネル継手、コロなどを示す分解斜視図であり、図１〜図８と同一または相当部分に同一符号を付し、その説明を省略する。
【００２３】
図９において、図１に示すように、壁面パネル５１の裏側上縁に突出させて取り付けられる継手５３には、コロ４１の軸部４２よりも大きな直径で、コロ４１の軸部４２が当接する円弧状面を有した円形孔５３ｃが設けられている。
したがって、継手５３は、円形孔５３ｃの最上部でコロ４１の軸部４２と線（または点）接触となり、円形孔５３ｃの最上部に軸部４２を転動可能に位置決めする。
【００２４】
このパネル継手３１を使用して第２実施例の壁面パネルを取り付ける場合は、パネル継手３１の２つの円形孔３２ａの間に円形孔５３ｃを位置させるとともに、各円形孔３２ａ，５３ｃを同一中心線上に位置させた状態で、コロ４１の軸部４２を一方の円形孔３２ａから円形孔５３ｃ、他方の円形孔３２ａへと挿通し、他方の円形孔３２ａから突出した軸部４２に設けられている貫通孔４２ａに止めピン４４を取り付けることにより、パネル継手３１にコロ４１を介して継手５３（壁面パネル）を取り付けることができる。
なお、上記したコロ４１の取付方法以外の、壁面パネルの取付方法、コロ４１の作用、効果などは、図１〜図７に示した場合と同様になるので、その説明を省略する。
【００２５】
図１０はこの発明の第２実施例である壁面パネルの他の取付方法に使用するパネル継手、コロなどを示す分解斜視図であり、図１〜図９と同一または相当部分に同一符号を付し、その説明を省略する。
【００２６】
このパネル継手３１を使用して第２実施例の壁面パネルを取り付ける場合は、例えば、継手５３の円形孔５３ｃにコロ４１の軸部４２を挿通し、貫通孔４２ａに止めピン４４を取り付けてコロ４１を継手５３に取り付けた状態で、２つの支持片３２Ａの間に継手５３を位置させるとともに、軸部４２を２つの凹部３２ｂ内へ挿入することにより、パネル継手３１にコロ４１を介して継手５３（壁面パネル）を取り付けることができる。
なお、上記した継手５３の取付方法以外の、壁面パネルの取付方法、コロ４１の作用、効果などは、図１〜図７に示した場合と同様になるので、その説明を省略する。
【００２７】
図１１（ａ）はこの発明の第３実施例である壁面パネルの裏面図、図１１（ｂ）は図１１（ａ）に示した壁面パネルの右側面図であり、図１〜図１０と同一または相当部分に同一符号を付してある。
【００２８】
図１１（ａ），（ｂ）において、５１は壁面パネルを示し、例えば、横が８００ｍｍの長さで、縦が２５０ｍｍの高さで、奥行き（厚み）が３５ｍｍとされた壁面パネル本体５２と、この壁面パネル本体５２の裏側の上縁に壁面パネル本体５２の重心を挟んで左右方向へ、例えば、左端から２００ｍｍ（全体の長さの１／４）の位置、および、右端から２００ｍｍ（全体の長さの１／４）の位置に位置させ、縦方向（垂直方向）に起立させて設けられ、壁面パネル本体５２の裏面とでそれぞれ収容部５３Ｂを形成する２つの継手５３と、この２つの継手５３に対応する壁面パネル本体５２の裏側の下縁に、すなわち、左右端から長さの１／４の位置に設けられ、下側の壁面パネル本体５２に設けた継手５３の収容部５３Ｂ内へ挿入する挿入部としての、２つの弾性挿入片５４とで構成されている。
そして、継手５３には、後側の下側に、下側へ開放する凹部５３ａが設けられている。
【００２９】
この第３実施例の壁面パネル５１を使用して壁面を形成する場合は、図１〜図１０に示したいずれかの取付方法により、躯体に取り付けて壁面を形成することができる。
なお、この第３実施例の壁面パネル５１においても、第１実施例の壁面パネル５１と同様な効果を得ることができる。
【００３０】
図１２（ａ）はこの発明の第４実施例である壁面パネルの裏面図、図１２（ｂ）は図１２（ａ）に示した壁面パネルの右側面図、図１３はこの発明の第４実施例である壁面パネルを取り付けた状態の切欠と挿入片との関係を示す説明図であり、図１〜図１１と同一または相当部分に同一符号を付してある。
【００３１】
図１２（ａ），（ｂ）において、５１は壁面パネルを示し、例えば、横が８００ｍｍの長さで、縦が２５０ｍｍの高さで、奥行き（厚み）が３５ｍｍとされた壁面パネル本体５２と、この壁面パネル本体５２の裏側の上縁に壁面パネル本体５２の重心を挟んで左右方向へ、例えば、左端から２００ｍｍ（全体の長さの１／４）の位置、および、右端から２００ｍｍ（全体の長さの１／４）の位置に位置させ、縦方向（垂直方向）に起立させて設けられた２つの継手５３と、この２つの継手５３に対応する壁面パネル本体５２の裏側の下縁に、すなわち、左右端から長さの１／４の位置に設けられ、下側の壁面パネル本体５２に設けた継手５３の切欠５３ｂ内へ挿入する挿入部としての、２つの挿入片５４Ａとで構成されている。
そして、継手５３には、後側の下側に、下側へ開放する凹部５３ａが設けられ、この凹部５３ａよりも前側の上側に、上側へ開放して壁面パネル本体５２の裏側に位置する収容部としての切欠５３ｂが設けられている。
なお、凹部５３ａは、上側が、図２に示すコロ４１を構成する軸部４２の直径よりも大きな直径の、軸部４２が当接する円弧状面を有する円弧で、この円弧の幅が最大になった円弧の直径の幅で下側へ切り欠かれている。
【００３２】
この第４実施例の壁面パネル５１を使用して壁面を形成する場合は、図１〜図１０に示したいずれかの取付方法により、躯体に取り付けて壁面を形成することができる。
そして、この第４実施例の壁面パネル５１においても、第１実施例の壁面パネル５１と同様な効果を得ることができる。
【００３３】
なお、凹部５３ａと切欠５３ｂおよび挿入片５４Ａとの位置関係から、挿入片５４Ａを切欠５３ｂの後面へ押し付けるように壁面パネル５１が回動するので、挿入片５４Ａが切欠５３ｂ内で前後方向へがたつかないはずであるが、挿入片５４Ａが切欠５３ｂ内で前後方向へがたつく恐れがある場合は、図１３に示すように、固定剤５６（弾性接着剤や弾性シーリング剤などの弾性固定剤、または、接着剤やシーリング剤などの固定剤）で、挿入片５４Ａを切欠５３ｂ内に固定すると、挿入片５４Ａが切欠５３ｂ内で前後方向へがたつくのを防止することができる。
そして、この第４実施例における挿入片５４Ａは、第２実施例および第３実施例の壁面パネル５１における弾性挿入片５４に代えてもよい。
【００３４】
図１４（ａ）はこの発明の第５実施例である壁面パネルの裏面図、図１４（ｂ）は図１４（ａ）に示した壁面パネルの右側面図であり、図１〜図１３と同一または相当部分に同一符号を付し、その説明を省略する。
【００３５】
この第５実施例の壁面パネル５１が第１実施例の壁面パネル５１と異なるところは、壁面パネル本体５２の裏面形状（正面形状）を正六角形とした点である。
なお、壁面パネル本体５２の裏側の上端寄りの上縁に壁面パネル本体５２の重心を挟んで左右方向へ、例えば、左右端から長さの１／４の位置に２つの継手５３が設けられ、壁面パネル本体５２の下縁の継手５３に対応する位置に、すなわち、左右端から長さの１／４の位置にそれぞれ弾性挿入片５４が設けられている。
【００３６】
この第５実施例の壁面パネル５１も、先の実施例の壁面パネル５１と同様に、躯体に取り付けて壁面を形成することができる。
なお、この第５実施例の壁面パネル５１においても、第１実施例の壁面パネル５１と同様な効果を得ることができる。
そして、この第５実施例における切欠５３ｂを第２実施例の円形孔５３ｃや第３実施例の収容部５３Ｂに代えたり、また、この第５実施例における弾性挿入片５４を第４実施例の挿入片５４Ａに代えたり、また、それらを組み合わせてもよい。
【００３７】
上記した実施例では、壁面パネル本体５２の裏面に断熱材を配置しない例を示したが、壁面パネル本体５２の裏面に断熱材を配置したり、内壁パネル１１と壁面パネル本体５２と間に断熱材を充填することにより、さらに断熱効果を得ることができる。
また、壁面パネル５１を破れ目地（縦方向の目地が階段状になる状態）で取り付ける例を示したが、第５実施例の壁面パネル５１を除いた第１実施例〜第４実施例の壁面パネル５１は、芋目地（縦方向の目地が直線になる状態）で躯体に取り付けて壁面を形成することができる。
このように、壁面パネル５１を芋目地で躯体に取り付ける場合は、上記したように継手５３、弾性挿入片５４（または挿入片５４Ａ）を左右端から長さの１／４の位置に設けずに、壁面パネル本体５２の裏側の上縁の所定の位置に継手５３を２つ設けるとともに、この２つの継手５３に対応する壁面パネル本体５２の裏側の下縁の位置にそれぞれ弾性挿入片５４（または挿入片５４Ａ）を設ければよい。
そして、壁面パネル本体５２の裏側の上縁に壁面パネル本体５２の重心を挟んで左右方向へ、左右端から長さの１／４である２００ｍｍの位置に継手５３を設けた例を示したが、壁面パネル本体５２の裏側の上縁に壁面パネル本体５２の重心を挟んで左右方向へ２つの継手５３が設けられていれば、重心から２つの継手５３までの距離が等距離でなくても、また、左右端から２つの継手５３までの距離が等距離でなくても、同様な効果を得ることができる。
【図面の簡単な説明】
【００３８】
【図１】（ａ）はこの発明の第１実施例である壁面パネルの裏面図、（ｂ）は図１（ａ）に示した壁面パネルの右側面図である。
【図２】この発明の第１実施例である壁面パネルの取付方法に使用するパネル継手、コロなどを示す分解斜視図である。
【図３】（ａ）はこの発明の第１実施例である壁面パネルを取り付けた状態の正面図に相当する説明図、（ｂ）は図３（ａ）に示した壁面パネルを取り付けた状態の右側面図に相当する説明図である。
【図４】この発明の第１実施例である壁面パネルを取り付けた状態の平面図に相当する説明図である。
【図５】この発明の第１実施例である壁面パネルを取り付けた状態の右側面図に相当する説明図である。
【図６】（ａ）はこの発明の第１実施例である壁面パネルを取り付けた状態におけるパネル継手とコロとの位置関係を示す説明図、（ｂ）はこの発明の第１実施例である壁面パネルを取り付けた状態における継手とコロとの位置関係などを示す説明図である。
【図７】コロのメカニズムを示す説明図である。
【図８】この発明の第１実施例である壁面パネルの他の取付方法に使用するパネル継手、コロなどを示す分解斜視図である。
【図９】この発明の第２実施例である壁面パネルの取付方法に使用するパネル継手、コロなどを示す分解斜視図である。
【図１０】この発明の第２実施例である壁面パネルの他の取付方法に使用するパネル継手、コロなどを示す分解斜視図である。
【図１１】（ａ）はこの発明の第３実施例である壁面パネルの裏面図、（ｂ）は図１１（ａ）に示した壁面パネルの右側面図である。
【図１２】（ａ）はこの発明の第４実施例である壁面パネルの裏面図、（ｂ）は図１２（ａ）に示した壁面パネルの右側面図である。
【図１３】この発明の第４実施例である壁面パネルを取り付けた状態の切欠と挿入片との関係を示す説明図である。
【図１４】（ａ）はこの発明の第５実施例である壁面パネルの裏面図、（ｂ）は図１４（ａ）に示した壁面パネルの右側面図である。
【図１５】従来の壁面パネルの取付方法の一例を示す平面図に相当する説明図である。
【符号の説明】
【００３９】
１      内壁パネル（躯体）
２      支柱材（躯体）
３      取付ねじ（タップねじ）
４      壁面パネル
５      断熱材
６      取付ねじ（タップねじ）
１１    内壁パネル（躯体）
２１    支柱材（躯体）
２２    取付ねじ（タップねじ）
３１    パネル継手
３２Ａ  支持片
３２ａ  円形孔（保持部）
３２ｂ  凹部（保持部）
３２Ｂ  取付片
３３    ボルト
３４    ナット
４１    コロ
４２    軸部
４２ａ  貫通孔
４３    頭部
４４    止めピン
５１    壁面パネル
５２    壁面パネル本体
５３    継手
５３ａ  凹部
５３ｂ  切欠（収容部）
５３ｃ  円形孔
５３Ｂ  収容部
５４    弾性挿入片（挿入部）
５４Ａ  挿入片（挿入部）
５６    固定剤
【図１】
2008111330.tif 000003
【図２】
2008111330.tif 000004
【図３】
2008111330.tif 000005
【図４】
2008111330.tif 000006
【図５】
2008111330.tif 000007
【図６】
2008111330.tif 000008
【図７】
2008111330.tif 000009
【図８】
2008111330.tif 000010
【図９】
2008111330.tif 000011
【図１０】
2008111330.tif 000012
【図１１】
2008111330.tif 000013
【図１２】
2008111330.tif 000014
【図１３】
2008111330.tif 000015
【図１４】
2008111330.tif 000016
【図１５】
2008111330.tif 000017